(57)【要約】      （修正有）【課題】トンネル栽培に使用する園芸用トンネル支柱結合具を提供する。【解決手段】園芸用トンネルにおいて、市販の園芸用トンネル支柱５と園芸用支柱を端部結合具甲１、端部結合具乙２、頂部結合具４、内部結合具３および腕付内部結合具によって結合して園芸用トンネルの躯体を作成し、これを市販のＵ字型金具等で畑に固定し、被覆材をクリップで園芸用トンネル支柱５および園芸用支柱に止めることによって園芸用トンネルを構成する。【選択図】図１
2018183128.tif 000002
【特許請求の範囲】
【請求項１】
園芸用トンネルにおいて、園芸用トンネル支柱と園芸用支柱を端部結合具甲（１）、端部結合具乙（２）、頂部結合具（４）、内部結合具（３）および腕付内部結合具（９）によって結合して園芸用トンネルの躯体とするための園芸用トンネル支柱結合具一式。
【請求項２】
長辺支柱嵌合穴（１０）を持つ腕と短辺支柱嵌合穴（１１）を持つ腕が直角をなしてＬ字型に接している角に、トンネル支柱嵌合穴（１３）を持つ腕が水平面に対して園芸用トンネルの傾斜に適合する角度で一体となっており、各腕に挿入された園芸用支柱および園芸用トンネル支柱をネジ等によって固定する構造を持つことを特徴とする請求項１記載の端部結合具甲（１）および端部結合具乙（２）。
【請求項３】
長辺支柱嵌合穴（１０）を持つ腕とトンネル支柱嵌合穴（１３）を持つ腕が直角をなし、且つ水平面に対して園芸用トンネルの傾斜に適合する角度でＴ字型に接して一体となっており、各腕に挿入された園芸用支柱および園芸用トンネル支柱をネジ等によって固定する構造を持つことを特徴とする請求項１記載の内部結合具（３）。
【請求項４】
長辺支柱嵌合穴（１０）を持つ腕と短辺支柱嵌合穴（１１）を持つ腕が直角をなしてＴ字型に接している交点に、トンネル支柱嵌合穴（１３）を持つ腕が水平面に対して園芸用トンネルの傾斜に適合する角度で一体となっており、各腕に挿入された園芸用支柱および園芸用トンネル支柱をネジ等によって固定する構造を持つことを特徴とする請求項１記載の腕付内部結合具（９）。
【請求項５】
園芸用支柱と園芸用トンネル支柱が直角をなして接するように保持し、園芸用支柱と園芸用トンネル支柱をネジ等によって固定する構造を持つことを特徴とする請求項１記載の頂部結合具（４）。
【発明の詳細な説明】
【技術分野】
【０００１】本発明は、トンネル栽培に使用する園芸用トンネル支柱結合具に関するものである。
【背景技術】
【０００２】園芸用トンネルを設置するには、Ｕ字形の園芸用トンネル支柱を等間隔に畑に差し込み、被覆材で覆って被覆材の四方の裾に土を載せ、被覆材が風で飛ばされないように被覆材の上から更に園芸用トンネル支柱で押さえる、等の方法が取られている。
【発明の概要】
【発明が解決しようとする課題】
【０００３】従来の方法は設置自体が繁雑であるばかりでなく、設置後も施肥・間引き・草引き等、作物の世話の度に、まず被覆材の飛散防止のため上から押さえている園芸用トンネル支柱を取り外し、被覆材に載せた土を取り除いて被覆材を開いたのち施肥等の本来の作業を行い、終了後再びこれらを元に戻すという繁雑な作業を繰り返さなければならないという難点がある。
【課題を解決するための手段】
【０００４】本発明は、市販の園芸用トンネル支柱と園芸用支柱を園芸用トンネル支柱結合具によって結合して園芸用トンネルの躯体を組み立てたのち、市販のＵ字型金具等で畑に固定し、被覆材をクリップで園芸用支柱または園芸用トンネル支柱に止めることによって園芸用トンネルを構成することを特徴とする。
【発明の効果】
【０００５】本発明による園芸用トンネルは、市販の園芸用トンネル支柱と園芸用支柱が園芸用トンネル支柱結合具によって結合されていて、持ち運ぶこともできる独立した躯体であるため、市販のＵ字型金具等で固定するだけで容易に畑に設置できる。被覆材はクリップで園芸用支柱または園芸用トンネル支柱に止められていて風で飛ばされることがないので、被覆材の上に土を載せる必要も、被覆材の上から園芸用トンネル支柱で押さえる必要もない。設置後も、クリップを外すだけで被覆材が開閉できるので、作物の世話も容易になる。
【図面の簡単な説明】
【０００６】
【図１】園芸用トンネルの躯体（実施例１）
【図２】園芸用トンネルの躯体（実施例２）
【図３】園芸用トンネル支柱組立図。（ａ）は園芸用トンネル両端、（ｂ）（ｃ）は内部に用いる。
【図４】端部結合具甲。
【図５】端部結合具乙。
【図６】内部結合具。
【図７】腕付内部結合具。
【図８】頂部結合具。
【図９】長辺支柱接合具。
【図１０】被覆材クリップ。
【発明を実施するための形態】
【０００７】以下、本発明の実施形態を、図面を用いて説明する。
【実施例１】
【０００８】図１は園芸用トンネル支柱結合具一式を使用して作成した園芸用トンネルの躯体である。【０００９】これを作成するには、まず頂部結合具４の園芸用トンネル支柱嵌合穴１３に園芸用トンネル支柱５を挿入して園芸用トンネル支柱５のほぼ中央にネジ穴１５でビスにより頂部結合具４を仮固定し、園芸用トンネル支柱５の両端を端部結合具甲１の園芸用トンネル支柱嵌合穴１３と端部結合具乙２の園芸用トンネル支柱嵌合穴１３に挿入し、それぞれの腕にあるネジ穴１５でビスにより仮固定する。つぎに園芸用トンネル支柱５に仮固定された端部結合具甲１の短辺支柱嵌合穴１１と端部結合具乙２の短辺支柱嵌合穴１１に短辺支柱７を挿入し、それぞれの腕にあるネジ穴１５でビスにより短辺支柱７を仮固定する。これは図３（ａ）であって、これを２組を作成して園芸用トンネルの両端に配置する。【００１０】つぎに、頂部結合具４の園芸用トンネル支柱嵌合穴１３に園芸用トンネル支柱５を挿入して園芸用トンネル支柱５のほぼ中央にネジ穴１５でビスにより頂部結合具４を仮固定し、園芸用トンネル支柱５の両端を２個の内部結合具３の園芸用トンネル支柱嵌合穴１３に挿入し、それぞれの腕にあるネジ穴１５でビスにより仮固定する。これは図３（ｂ）であって、園芸用トンネルの中央に配置する。【００１１】上記行程で作られた２組の図３（ａ）のうち、一方の端部結合具甲１と端部結合具乙２の長辺支柱嵌合穴１０に長辺支柱６を、頂部結合具４の頂部支柱嵌合穴１０に頂部支柱８を挿入し、それぞれの結合具の腕にあるネジ穴１５でビスにより仮固定する。【００１２】この長辺支柱６（２本）と頂部支柱８（１本）を、上記行程で作られた図３（ｂ）の２個の内部結合具３の長辺支柱嵌合穴１０と、頂部結合具４の頂部支柱嵌合穴１０に通し、長辺支柱６および頂部支柱８の中央付近にネジ穴１５でビスにより仮固定する。【００１３】次に、この長辺支柱６（２本）と頂部支柱８（１本）に、上記行程で作られたもう一方の図３（ａ）を同一の手順で取り付けてネジ穴１５でビスにより仮固定する。【００１４】これは図１の園芸用トンネルの躯体である。【００１５】上記行程により作成した園芸用トンネルの躯体を畑に置き、仮固定にしておいた各部のビスを締めて固定し、市販のＵ字型金具等を園芸用トンネル固定穴１４に通して畑に固定する。【００１６】次に防寒、防虫等目的に応じた被覆材を被せ、要所を図１０のクリップの支柱嵌合部１６に園芸用トンネル支柱５または長辺支柱６または短辺支柱７を嵌合させて固定して園芸用トンネルとする。
【実施例２】
【００１７】図２はやや長い園芸用トンネルの躯体である。【００１８】長い園芸用トンネルを設置する場合、必要に応じて図３（ｂ）を増設するが、強度を補う必要があれば図３（ｂ）に代えて図３（ｃ）を用いる。図３（ｃ）は、園芸用トンネル躯体の強度を補うために、図３（ｂ）の内部結合具３を腕付内部結合具８に代えて短辺支柱７を加えたものである。図２は園芸用トンネル躯体の中央に図３（ｃ）を用いた例である。【００１９】図２は、園芸用トンネルの長辺支柱６および頂部支柱８を長くし、図１に図３（ｂ）と図３（ｃ）各１個を増設したものなので、設置法は基本的に図１と同じであるが、図３（ｃ）の短辺支柱７は畝を横断することになるので、仮組の園芸用トンネル躯体を畑に置いたとき、この短辺支柱７が作物と干渉しないような位置で長辺支柱６および頂部支柱８に固定する。
【実施例３】
【００２０】市販の園芸用支柱よりも長い園芸用トンネルを設置するときは、必要な長さとなるように２本の園芸用支柱を図９の長辺支柱接合具で接合する。図９の長辺支柱接合具の長辺支柱嵌合穴１０に両側から園芸用支柱を挿入し、ネジ穴１５でビスにより固定し、長辺支柱６および頂部支柱８として使用する。設置法は基本的に図２と同じであるが、必要に応じて図３（ｂ）または図３（ｃ）を増設する。
【符号の説明】
【００２１】１：端部結合具甲
２：端部結合具乙
３：内部結合具
４：頂部結合具
５：園芸用トンネル支柱
６：長辺支柱
７：短辺支柱
８：頂部支柱
９：腕付内部結合具
１０：長辺支柱嵌合穴
１１：短辺支柱嵌合穴
１２：頂部支柱嵌合穴
１３：園芸用トンネル支柱嵌合穴
１４：園芸用トンネル固定穴
１５：ネジ穴
１６：支柱嵌合部
【図１】
2018183128.tif 000003
【図２】
2018183128.tif 000004
【図３】
2018183128.tif 000005
【図４】
2018183128.tif 000006
【図５】
2018183128.tif 000007
【図６】
2018183128.tif 000008
【図７】
2018183128.tif 000009
【図８】
2018183128.tif 000010
【図９】
2018183128.tif 000011
【図１０】
2018183128.tif 000012